【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
補足強調情報（ＳＥＩ）ネットワークアブストラクションレイヤ（ＮＡＬ）単位によってカプセル化され、１つ以上のネストされたＳＥＩメッセージをカプセルする補足強調情報（ＳＥＩ）メッセージ中のシンタックス要素に少なくとも部分的に基づいて、前記１つ以上のネストされたＳＥＩメッセージが、前記ビデオデータのコード化されたピクチャを備える符号化されたビデオビットストリームのデフォルトのサブビットストリームに適用可能かどうかを決定することと、ここにおいて、前記シンタックス要素は前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現である、
前記１つ以上のネストされたＳＥＩメッセージが、前記デフォルトのサブビットストリームに適用可能であるとき、前記デフォルトのサブビットストリームに対する動作において、前記１つ以上のネストされたＳＥＩメッセージを使うこととを備える方法。
【請求項２】
前記ＮＡＬ単位ヘッダ中の第１のシンタックス要素は前記レイヤ識別子を示し、前記ＮＡＬ単位ヘッダ中の第２のシンタックス要素は前記時間識別子を示す、請求項１に記載の方法。
【請求項３】
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項２に記載の方法。
【請求項４】
前記ＳＥＩメッセージによってカプセル化された特定のネストされたＳＥＩメッセージは、仮想参照デコーダ（ＨＲＤ）パラメータのセットを含む、請求項１に記載の方法。
【請求項５】
前記１つ以上のネストされたＳＥＩメッセージを使うことは、前記デフォルトのサブビットストリームがビデオコード化規格に適合するかどうかを試験する動作において、前記特定のネストされたＳＥＩメッセージ中の前記ＨＲＤパラメータを使うことを備える、請求項４に記載の方法。
【請求項６】
前記１つ以上のネストされたＳＥＩメッセージを使うことは、前記デフォルトのサブビットストリームに対する復号動作において、前記ＳＥＩメッセージによってカプセル化された、ネストされたＳＥＩメッセージを使うことを備える、請求項１に記載の方法。
【請求項７】
前記ＳＥＩメッセージは、複数のネストされたＳＥＩメッセージをカプセル化し、
前記１つ以上のネストされたＳＥＩメッセージが前記デフォルトのサブビットストリームに適用可能かどうか決定することは、前記シンタックス要素に少なくとも部分的に基づいて、前記ネストされたＳＥＩメッセージの各々が前記デフォルトのサブビットストリームに適用可能かどうか決定することを備える、請求項１に記載の方法。
【請求項８】
前記ＳＥＩメッセージ中の前記シンタックス要素は第１のシンタックス要素であり、
前記方法は、前記ＳＥＩメッセージによってカプセル化された前記１つ以上のネストされたＳＥＩメッセージが、前記符号化されたビデオビットストリームから抽出されたサブビットストリームに適用されることを示す前記ＳＥＩメッセージ中の第２のシンタックス要素に少なくとも部分的に基づいて、前記ＳＥＩメッセージが前記第１のシンタックス要素を含むと決定することを更に備える、請求項１に記載の方法。
【請求項９】
前記方法は、
前記ＳＥＩメッセージ中の１つ以上の追加シンタックス要素に基づいて、第２の動作点の時間識別子と前記第２の動作点の最大レイヤ識別子とを決定することと、
追加サブビットストリームに対する動作において、前記１つ以上のネストされたＳＥＩメッセージを使うことと、前記追加サブビットストリームは前記第２の動作点の動作点表現である、を更に備える、請求項１に記載の方法。
【請求項１０】
ビデオデータを記憶するように構成される記憶媒体と、
ＳＥＩネットワークアブストラクションレイヤ（ＮＡＬ）単位によってカプセル化され、１つ以上のネストされたＳＥＩメッセージをカプセルする補足強調情報（ＳＥＩ）メッセージ中のシンタックス要素に少なくとも部分的に基づいて、前記１つ以上のネストされたＳＥＩメッセージが、前記ビデオデータのコード化されたピクチャを備える符号化されたビデオビットストリームのデフォルトのサブビットストリームに適用可能かどうか決定し、ここにおいて、前記シンタックス要素が前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現である、
前記１つ以上のネストされたＳＥＩメッセージが、前記デフォルトのサブビットストリームに適用可能であるとき、前記デフォルトのサブビットストリームに対する動作において、前記１つ以上のネストされたＳＥＩメッセージを使うように構成される１つ以上のプロセッサとを備える、機器。
【請求項１１】
前記ＮＡＬ単位ヘッダ中の第１のシンタックス要素は前記レイヤ識別子を示し、前記ＮＡＬ単位ヘッダ中の第２のシンタックス要素は前記時間識別子を示す、請求項１０に記載の機器。
【請求項１２】
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項１１に記載の機器。
【請求項１３】
前記ＳＥＩメッセージによってカプセル化された特定のネストされたＳＥＩメッセージは、仮想参照デコーダ（ＨＲＤ）パラメータのセットを含む、請求項１０に記載の機器。
【請求項１４】
前記１つ以上のプロセッサは、前記特定のネストされたＳＥＩメッセージ中の前記ＨＲＤパラメータを、前記デフォルトのサブビットストリームがビデオコード化規格に適合するかどうかを試験する動作において使うように構成される、請求項１３に記載の機器。
【請求項１５】
前記１つ以上のプロセッサは、前記ＳＥＩメッセージによってカプセル化された、ネストされたＳＥＩメッセージを、前記デフォルトのサブビットストリームに対する復号動作において使うように構成される、請求項１０に記載の機器。
【請求項１６】
前記ＳＥＩメッセージは、複数のネストされたＳＥＩメッセージをカプセル化し、
前記１つ以上のプロセッサは、前記シンタックス要素に少なくとも部分的に基づいて、前記ネストされたＳＥＩメッセージの各々が前記デフォルトのサブビットストリームに適用可能かどうか決定するように構成される、請求項１０に記載の機器。
【請求項１７】
前記ＳＥＩメッセージ中の前記シンタックス要素は第１のシンタックス要素であり、
前記１つ以上のプロセッサは、前記ＳＥＩメッセージによってカプセル化された、前記１つ以上のネストされたＳＥＩメッセージが、前記符号化されたビデオビットストリームから抽出されたサブビットストリームに適用されることを示す前記ＳＥＩメッセージ中の第２のシンタックス要素に少なくとも部分的に基づいて、前記ＳＥＩメッセージが前記第１のシンタックス要素を含むと決定するように更に構成される、請求項１０に記載の機器。
【請求項１８】
前記１つ以上のプロセッサは、
前記ＳＥＩメッセージ中の１つ以上の追加シンタックス要素に基づいて、第２の動作点の時間識別子と前記第２の動作点の最大レイヤ識別子とを決定し、
追加サブビットストリームに対する動作において、前記１つ以上のネストされたＳＥＩメッセージを使う、前記追加サブビットストリームは前記第２の動作点の動作点表現である、ように更に構成される、請求項１０に記載の機器。
【請求項１９】
補足強調情報（ＳＥＩ）ネットワークアブストラクションレイヤ（ＮＡＬ）単位によってカプセル化され、１つ以上のネストされたＳＥＩメッセージをカプセルする補足強調情報（ＳＥＩ）メッセージ中のシンタックス要素に少なくとも部分的に基づいて、前記１つ以上のネストされたＳＥＩメッセージが、ビデオデータのコード化されたピクチャを備える符号化されたビデオビットストリームのデフォルトのサブビットストリームに適用可能かどうか決定するための手段と、ここにおいて、前記シンタックス要素が前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現であり、前記ＳＥＩメッセージは、１つ以上のＳＥＩメッセージを含む、
前記１つ以上のネストされたＳＥＩメッセージが、前記デフォルトのサブビットストリームに適用可能であるとき、前記デフォルトのサブビットストリームに対する動作において、前記ネストされたＳＥＩメッセージを使うための手段とを備える機器。
【請求項２０】
前記ＮＡＬ単位ヘッダ中の第１のシンタックス要素は前記レイヤ識別子を示し、前記ＮＡＬ単位ヘッダ中の第２のシンタックス要素は前記時間識別子を示し、
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項１９に記載の機器。
【請求項２１】
前記ＳＥＩメッセージによってカプセル化された、ネストされたＳＥＩメッセージは、仮想参照デコーダ（ＨＲＤ）パラメータのセットを含み、
前記機器は、前記ネストされたＳＥＩメッセージ中の前記ＨＲＤパラメータを、前記デフォルトのサブビットストリームがビデオコード化規格に適合するかどうかを試験する動作において使うための手段を備える、請求項１９に記載の機器。
【請求項２２】
命令を記憶するコンピュータ可読記憶媒体であって、前記命令は、機器の１つ以上のプロセッサによって実行されると、前記機器を、
ＳＥＩネットワークアブストラクションレイヤ（ＮＡＬ）単位によってカプセル化され１つ以上のネストされたＳＥＩメッセージをカプセルするネスティング補足強調情報（ＳＥＩ）メッセージ中のシンタックス要素に少なくとも部分的に基づいて、前記１つ以上のネストされたＳＥＩメッセージが、ビデオデータのコード化されたピクチャを備える符号化されたビデオビットストリームのデフォルトのサブビットストリームに適用可能かどうか決定し、ここにおいて、前記シンタックス要素は前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現である、
前記１つ以上のネストされたＳＥＩメッセージが、前記デフォルトのサブビットストリームに適用可能であるとき、前記デフォルトのサブビットストリームに対する動作において、前記１つ以上のネストされたＳＥＩメッセージを使うように構成する、コンピュータ可読記憶媒体。
【請求項２３】
前記ＮＡＬ単位ヘッダ中の第１のシンタックス要素は前記レイヤ識別子を示し、前記ＮＡＬ単位ヘッダ中の第２のシンタックス要素は前記時間識別子を示し、
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項２２に記載のコンピュータ可読記憶媒体。
【請求項２４】
前記ＳＥＩメッセージによってカプセル化された、ネストされたＳＥＩメッセージは、仮想参照デコーダ（ＨＲＤ）パラメータのセットを含み、
前記命令は、前記ネストされたＳＥＩメッセージ中の前記ＨＲＤパラメータを、前記デフォルトのサブビットストリームがビデオコード化規格に適合するかどうかを試験する動作において使うように、前記機器を更に構成する、請求項２２に記載のコンピュータ可読記憶媒体。
【請求項２５】
ビデオデータを符号化する方法であって、
ＳＥＩネットワークアブストラクションレイヤ（ＮＡＬ）単位によってカプセル化され、１つ以上のネストされたＳＥＩメッセージをカプセルする補足強調情報（ＳＥＩ）メッセージ中に、前記１つ以上のネストされたＳＥＩメッセージが、前記ビデオデータのコード化されたピクチャを備える符号化されたビデオビットストリームのデフォルトのサブビットストリームに適用可能かどうかを示すシンタックス要素を含めることと、ここにおいて、前記シンタックス要素は前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現である、
前記符号化されたビデオビットストリーム中で、前記ＳＥＩメッセージを信号伝達することとを備える方法。
【請求項２６】
前記ＮＡＬ単位ヘッダ中の第１のシンタックス要素は前記レイヤ識別子を示し、前記ＮＡＬ単位ヘッダ中の第２のシンタックス要素は前記時間識別子を示す、請求項２５に記載の方法。
【請求項２７】
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項２６に記載の方法。
【請求項２８】
前記ＳＥＩメッセージによってカプセル化された特定のネストされたＳＥＩメッセージは、仮想参照デコーダ（ＨＲＤ）パラメータのセットを含む、請求項２５に記載の方法。
【請求項２９】
前記特定のネストされたＳＥＩメッセージ中の前記ＨＲＤパラメータを、前記デフォルトのサブビットストリームがビデオコード化規格に適合するかどうかを試験する動作において使うことを更に備える、請求項２８に記載の方法。
【請求項３０】
前記ＳＥＩメッセージは、複数のネストされたＳＥＩメッセージをカプセル化し、
前記シンタックス要素は、前記ネストされたＳＥＩメッセージの各々が前記デフォルトのサブビットストリームに適用可能かどうかを示す、請求項２５に記載の方法。
【請求項３１】
前記ＳＥＩメッセージ中の前記シンタックス要素は、前記ＳＥＩメッセージ中の第１のシンタックス要素であり、
前記方法は、前記ＳＥＩメッセージ中に第２のシンタックス要素を含めることを更に備え、前記第２のシンタックス要素は、前記ＳＥＩメッセージによってカプセル化された、ネストされたＳＥＩメッセージが、前記符号化されたビデオビットストリームから抽出されたサブビットストリームに適用されるかどうか、又は前記ネストされたＳＥＩメッセージが、前記符号化されたビデオビットストリームの固有レイヤ及びサブレイヤに適用されるかどうかを示し、
前記ＳＥＩメッセージは、前記ネストされたＳＥＩメッセージが、前記符号化されたビデオビットストリームから抽出された前記サブビットストリームに適用されることを前記第２のシンタックス要素が示すときのみ、前記第１のシンタックス要素を含む、請求項２５に記載の方法。
【請求項３２】
前記ＳＥＩ  ＮＡＬ単位のＮＡＬ単位ヘッダの１つ以上のシンタックス要素によって識別される前記動作点は、第１の動作点であり、
前記方法は、前記ＳＥＩメッセージ中に、第２の動作点の時間識別子と前記第２の動作点の最大レイヤ識別子とを識別する１つ以上の追加シンタックス要素を含めることを更に備える、請求項２５に記載の方法。
【請求項３３】
ビデオデータを記憶するように構成される記憶媒体と、
補足強調情報（ＳＥＩ）ネットワークアブストラクションレイヤ（ＮＡＬ）単位によってカプセル化され、１つ以上のネストされたＳＥＩメッセージをカプセルする補足強調情報（ＳＥＩ）メッセージ中に、前記１つ以上のネストされたＳＥＩメッセージが、前記ビデオデータのコード化されたピクチャを備える符号化されたビデオビットストリームのデフォルトのサブビットストリームに適用可能かどうかを示すシンタックス要素を含め、ここにおいて、前記シンタックス要素は前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現であり、前記スケーラブルネスティングＳＥＩメッセージは、１つ以上のＳＥＩメッセージを含む、
前記符号化されたビデオビットストリーム中で、前記ＳＥＩメッセージを信号伝達するように構成される１つ以上のプロセッサとを備える、ビデオ符号化機器。
【請求項３４】
前記ＮＡＬ単位ヘッダ中の第１のシンタックス要素は前記レイヤ識別子を示し、前記ＮＡＬ単位ヘッダ中の第２のシンタックス要素は前記時間識別子を示す、請求項３３に記載のビデオ符号化機器。
【請求項３５】
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項３４に記載のビデオ符号化機器。
【請求項３６】
前記ＳＥＩメッセージによってカプセル化された特定のネストされたＳＥＩメッセージは、仮想参照デコーダ（ＨＲＤ）パラメータのセットを含む、請求項３３に記載のビデオ符号化機器。
【請求項３７】
前記１つ以上のプロセッサは、前記特定のネストされたＳＥＩメッセージ中の前記ＨＲＤパラメータを、前記デフォルトのサブビットストリームがビデオコード化規格に適合するかどうかを試験する動作において使うように更に構成される、請求項３６に記載のビデオ符号化機器。
【請求項３８】
前記ＳＥＩメッセージは、複数のネストされたＳＥＩメッセージをカプセル化し、
前記シンタックス要素は、前記ネストされたＳＥＩメッセージの各々が前記デフォルトのサブビットストリームに適用可能かどうかを示す、請求項３３に記載のビデオ符号化機器。
【請求項３９】
前記ＳＥＩメッセージ中の前記シンタックス要素は、前記ＳＥＩメッセージ中の第１のシンタックス要素であり、
前記１つ以上のプロセッサは、前記ＳＥＩメッセージ中に第２のシンタックス要素を含めるように更に構成され、前記第２のシンタックス要素は、前記ＳＥＩメッセージによってカプセル化された、ネストされたＳＥＩメッセージが、前記符号化されたビデオビットストリームから抽出されたサブビットストリームに適用されるかどうか、又は前記ネストされたＳＥＩメッセージが、前記符号化されたビデオビットストリームの固有レイヤ及びサブレイヤに適用されるかどうかを示し、
前記ＳＥＩメッセージは、前記ネストされたＳＥＩメッセージが、前記符号化されたビデオビットストリームから抽出された前記サブビットストリームに適用されることを前記第２のシンタックス要素が示すときのみ、前記第１のシンタックス要素を含む、請求項３３に記載のビデオ符号化機器。
【請求項４０】
前記ＳＥＩ  ＮＡＬ単位のＮＡＬ単位ヘッダの１つ以上のシンタックス要素によって識別される前記動作点は、第１の動作点であり、
前記１つ以上のプロセッサは、前記ＳＥＩメッセージ中に、第２の動作点の時間識別子と前記第２の動作点の最大レイヤ識別子とを識別する１つ以上の追加シンタックス要素を含めるように更に構成される、請求項３３に記載のビデオ符号化機器。
【請求項４１】
補足強調情報（ＳＥＩ）ネットワークアブストラクションレイヤ（ＮＡＬ）単位によってカプセル化され、１つ以上のネストされたＳＥＩメッセージをカプセルする補足強調情報（ＳＥＩ）メッセージ中に、前記１つ以上のネストされたＳＥＩメッセージが、ビデオデータのコード化されたピクチャを備える符号化されたビデオビットストリームのデフォルトのサブビットストリームに適用可能かどうかを示すシンタックス要素を含めるための手段と、ここにおいて、前記シンタックス要素は前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現である、
前記符号化されたビデオビットストリーム中で、前記ＳＥＩメッセージを信号伝達するための手段とを備えるビデオ符号化機器。
【請求項４２】
前記ＮＡＬ単位ヘッダ中の第１のシンタックス要素は前記レイヤ識別子を示し、前記ＮＡＬ単位ヘッダ中の第２のシンタックス要素は前記時間識別子を示し、
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項４１に記載のビデオ符号化機器。
【請求項４３】
前記ＳＥＩメッセージによってカプセル化された、ネストされたＳＥＩメッセージは、仮想参照デコーダ（ＨＲＤ）パラメータのセットを含み、
前記ビデオ符号化機器は、前記ネストされたＳＥＩメッセージ中の前記ＨＲＤパラメータを、前記デフォルトのサブビットストリームがビデオコード化規格に適合するかどうかを試験する動作において使うための手段を備える、請求項４１に記載のビデオ符号化機器。
【請求項４４】
命令を記憶するコンピュータ可読記憶媒体であって、前記命令は、ビデオ符号化機器によって実行されると、前記ビデオ符号化機器を、
補足強調情報（ＳＥＩ）ネットワークアブストラクションレイヤ（ＮＡＬ）単位によってカプセル化され、１つ以上のネストされたＳＥＩメッセージをカプセルする補足強調情報（ＳＥＩ）メッセージ中に、前記１つ以上のネストされたＳＥＩメッセージが、ビデオデータのコード化されたピクチャを備える符号化されたビデオビットストリームのデフォルトのサブビットストリームに適用可能かどうかを示すシンタックス要素を含め、ここにおいて、前記シンタックス要素は前記１つ以上のネストされたＳＥＩメッセージのいずれにもなく、前記デフォルトのサブビットストリームは、前記ＳＥＩ  ＮＡＬ単位のＮＡＬ単位ヘッダ中で規定されるレイヤ識別子及び前記ＮＡＬ単位ヘッダ中で規定される時間識別子によって定義される動作点の動作点表現である、
前記符号化されたビデオビットストリーム中で、前記ＳＥＩメッセージを信号伝達するように構成する、コンピュータ可読記憶媒体。
【請求項４５】
前記ＮＡＬ単位ヘッダ中の第１のシンタックス要素は前記レイヤ識別子を示し、前記ＮＡＬ単位ヘッダ中の第２のシンタックス要素は前記時間識別子を示し、
前記デフォルトのサブビットストリームは、前記符号化されたビデオビットストリームのサブセットであり、前記デフォルトのサブビットストリームは、前記ＮＡＬ単位ヘッダにおける前記第１のシンタックス要素によって示される前記レイヤ識別子よりも大きいレイヤ識別子を有するか、又は前記ＮＡＬ単位ヘッダにおける前記第２のシンタックス要素によって示される前記時間識別子よりも大きい時間識別子を有する、前記符号化されたビデオビットストリームのビデオコード化レイヤ（ＶＣＬ）ＮＡＬ単位を含まない、請求項４４に記載のコンピュータ可読記憶媒体。
【請求項４６】
前記ＳＥＩメッセージによってカプセル化された特定のネストされたＳＥＩメッセージは、仮想参照デコーダ（ＨＲＤ）パラメータのセットを含み、
前記命令は、前記特定のネストされたＳＥＩメッセージ中の前記ＨＲＤパラメータを、前記デフォルトのサブビットストリームがビデオコード化規格に適合するかどうかを試験する動作において使うように、前記ビデオ符号化機器を更に構成する、請求項４４に記載のコンピュータ可読記憶媒体。